【手続補正書】
【提出日】令和3年4月9日(2021.4.9)
【手続補正１】
【補正対象書類名】明細書
【補正対象項目名】０１２７
【補正方法】変更
【補正の内容】
【０１２７】
第２０の態様は、態様１４から１９のいずれかを含み、供給油は、２５度〜５０度の米国石油協会（ＡＰＩ）比重を有する原油である。
以下、本発明の好ましい実施形態を項分け記載する。
実施形態１
重質油を処理するための方法であって、
前記重質油の少なくとも一部分を改良して、改良された油を形成することであって、前記改良することが、前記重質油を、水素化脱金属触媒、遷移触媒、水素化脱窒素触媒、第１の水素化分解触媒、および前記第１の水素化分解触媒の下流の第２の水素化分解触媒と接触させて、前記重質油から、金属、窒素、または芳香族含有量のうちの少なくとも一部分を除去して、前記改良された油を形成することを含む、改良することを含み、
前記改良された油の最終沸点が、５４０℃以下であり、
前記第２の水素化分解触媒が、前記重質油中の真空軽油の少なくとも一部分を分解し、
前記第１の水素化分解触媒が、前記第２の水素化分解触媒よりも大きい平均細孔サイズを含む、方法。
実施形態２
前記改良された油を蒸気分解装置に送り、前記改良された油を蒸気分解して、蒸気分解流出物を形成することをさらに含む、実施形態１に記載の方法。
実施形態３
重質油を処理するための方法であって、
前記重質油の少なくとも一部分を改良して、改良された油を形成することであって、前記改良することが、前記重質油を、水素化脱金属触媒、遷移触媒、水素化脱窒素触媒、第１の水素化分解触媒、および前記第１の水素化分解触媒の下流の第２の水素化分解触媒と接触させて、前記重質油から、金属、窒素、または芳香族含有量のうちの少なくとも一部分を除去して、前記改良された油を形成することを含む、改良することと、
前記改良された油を蒸気分解装置に送り、前記改良された油を蒸気分解して、蒸気分解流出物流を形成することと、を含み、
前記第２の水素化分解触媒が、前記重質油中の真空軽油の少なくとも一部分を分解し、
第１の水素化分解触媒が、前記第２の水素化分解触媒よりも大きい平均細孔サイズを含む、方法。
実施形態４
供給油を重質供給留分および軽質供給留分に分離することと、
前記軽質供給留分を前記蒸気分解装置に送ることと、をさらに含み、
前記重質供給留分が、前記改良された重質油である、実施形態１〜３のいずれか一つに記載の方法。
実施形態５
前記重質供給留分に対する前記軽質供給留分の切断点が、３００℃〜４００℃である、実施形態４に記載の方法。
実施形態６
前記軽質供給留分および重質供給留分の切断点が、１２０℃〜２３０℃である、実施形態４に記載の方法。
実施形態７
前記水素化脱金属触媒、前記遷移触媒、および前記水素化脱窒素触媒が、複数の反応器内に直列に位置付けられ、
前記第１の水素化分解触媒、前記第２の水素化分解触媒、またはこれらの両方が、前記複数の反応器の下流の１つ以上の反応器内に位置付けられる、実施形態１〜６のいずれか一つに記載の方法。
実施形態８
前記複数の反応器の下流の前記１つ以上の反応器が、単一の充填床反応器である、実施形態７に記載の方法。
実施形態９
前記改良された油でガス凝縮物を蒸気分解することをさらに含む、実施形態２に記載の方法。
実施形態１０
前記第１の水素化分解触媒が、前記第２の水素化分解触媒よりも大きい平均細孔容積を含む、実施形態１〜９のいずれか一つに記載の方法。
実施形態１１
前記第１の水素化分解触媒が、前記第２の水素化分解触媒よりも低い酸性度を含む、実施形態１〜１０のいずれか一つに記載の方法。
実施形態１２
前記第１の水素化分解触媒が、前記第２の水素化分解触媒よりも小さい表面積を含む、実施形態１〜１１のいずれか一つに記載の方法。
実施形態１３
前記第１の水素化分解触媒が、メソ細孔性ゼオライトおよび１つ以上の金属を含み、前記メソ細孔性ゼオライトが、２ｎｍ〜５０ｎｍの平均細孔サイズを有する、実施形態１〜１２のいずれか一つに記載の方法。
実施形態１４
前記水素化脱窒素触媒が、アルミナ担体上に１つ以上の金属を含み、前記アルミナ担体が、２ｎｍ〜５０ｎｍの平均細孔サイズを有する、実施形態１〜１３のいずれか一つに記載の方法。
実施形態１５
前記供給油が、２５度〜５０度の米国石油協会（ＡＰＩ）比重を有する原油である、実施形態１〜１４のいずれか一つに記載の方法。
【手続補正２】
【補正対象書類名】特許請求の範囲
【補正対象項目名】全文
【補正方法】変更
【補正の内容】
【特許請求の範囲】
【請求項１】
重質油を処理するための方法であって、
前記重質油の少なくとも一部分を改良して、改良された油を形成することであって、前記改良することが、前記重質油を、水素化脱金属触媒、遷移触媒、水素化脱窒素触媒、第１の水素化分解触媒、および前記第１の水素化分解触媒の下流の第２の水素化分解触媒と接触させて、前記重質油から、金属、窒素、または芳香族含有量のうちの少なくとも一部分を除去して、前記改良された油を形成することを含む、改良することを含み、
前記改良された油の最終沸点が、５４０℃以下であり、
前記第２の水素化分解触媒が、前記重質油中の真空軽油の少なくとも一部分を分解し、
前記第１の水素化分解触媒が、前記第２の水素化分解触媒よりも大きい平均細孔サイズを含む、方法。
【請求項２】
前記改良された油を蒸気分解装置に送り、前記改良された油を蒸気分解して、蒸気分解流出物を形成することをさらに含む、請求項１に記載の方法。
【請求項３】
重質油を処理するための方法であって、
前記重質油の少なくとも一部分を改良して、改良された油を形成することであって、前記改良することが、前記重質油を、水素化脱金属触媒、遷移触媒、水素化脱窒素触媒、第１の水素化分解触媒、および前記第１の水素化分解触媒の下流の第２の水素化分解触媒と接触させて、前記重質油から、金属、窒素、または芳香族含有量のうちの少なくとも一部分を除去して、前記改良された油を形成することを含む、改良することと、
前記改良された油を蒸気分解装置に送り、前記改良された油を蒸気分解して、蒸気分解流出物流を形成することと、を含み、
前記第２の水素化分解触媒が、前記重質油中の真空軽油の少なくとも一部分を分解し、
第１の水素化分解触媒が、前記第２の水素化分解触媒よりも大きい平均細孔サイズを含む、方法。
【請求項４】
供給油を重質供給留分および軽質供給留分に分離することと、
前記軽質供給留分を前記蒸気分解装置に送ることと、をさらに含み、
前記重質供給留分が、前記改良された重質油である、請求項１〜３のいずれか一項に記載の方法。
【請求項５】
前記重質供給留分に対する前記軽質供給留分の切断点が、３００℃〜４００℃である、請求項４に記載の方法。
【請求項６】
前記軽質供給留分および重質供給留分の切断点が、１２０℃〜２３０℃である、請求項４に記載の方法。
【請求項７】
前記水素化脱金属触媒、前記遷移触媒、および前記水素化脱窒素触媒が、複数の反応器内に直列に位置付けられ、
前記第１の水素化分解触媒、前記第２の水素化分解触媒、またはこれらの両方が、前記複数の反応器の下流の１つ以上の反応器内に位置付けられる、請求項１〜６のいずれか一項に記載の方法。
【請求項８】
前記改良された油でガス凝縮物を蒸気分解することをさらに含む、請求項２に記載の方法。
【請求項９】
前記第１の水素化分解触媒が、前記第２の水素化分解触媒よりも大きい平均細孔容積を含む、請求項１〜８のいずれか一項に記載の方法。
【請求項１０】
前記第１の水素化分解触媒が、前記第２の水素化分解触媒よりも低い酸性度を含む、請求項１〜９のいずれか一項に記載の方法。
【請求項１１】
前記第１の水素化分解触媒が、前記第２の水素化分解触媒よりも小さい表面積を含む、請求項１〜１０のいずれか一項に記載の方法。
【請求項１２】
前記第１の水素化分解触媒が、メソ細孔性ゼオライトおよび１つ以上の金属を含み、前記メソ細孔性ゼオライトが、２ｎｍ〜５０ｎｍの平均細孔サイズを有する、請求項１〜１１のいずれか一項に記載の方法。
【請求項１３】
前記水素化脱窒素触媒が、アルミナ担体上に１つ以上の金属を含み、前記アルミナ担体が、２ｎｍ〜５０ｎｍの平均細孔サイズを有する、請求項１〜１２のいずれか一項に記載の方法。
【請求項１４】
前記供給油が、２５度〜５０度の米国石油協会（ＡＰＩ）比重を有する原油である、請求項１〜１３のいずれか一項に記載の方法。
【請求項１５】
前記遷移触媒が、ある量の金属成分およびある量の硫黄成分をＨＤＭ反応流出物流から除去するように機能する、請求項１〜１４のいずれか一項に記載の方法。
【請求項１６】
前記重質油の最終沸点が、５４０℃超である、請求項１〜１５のいずれか一項に記載の方法。